(57)【要約】【課題】本発明の課題は、複数の動画に遷移する動画コンテンツを用いる携帯端末装置に対して所望の動画から再生できるブックマークを提供することである。【解決手段】サーバ装置から端末装置にネットワークを通して送信され、端末装置の再生手段により再生表示される動画コンテンツファイルであって、前記動画コンテンツファイルは、再生時に閲覧者が端末装置の入力手段により選択指示する対象となる対話インターフェースオブジェクトを含むことができるものであって、１）最初と最初以外の区別がある複数の動画を含んで構成され、２）最初以外の各動画について、該当する動画が最初として区別して作成された他の動画コンテンツファイルを要求するメッセージを端末装置からネットワーク上に発信させる対話インターフェースオブジェクトを含んでいる、ことを特徴とする動画コンテンツファイルである。【選択図】図１
2008219076.tif 000002
【特許請求の範囲】
【請求項１】
サーバ装置から端末装置にネットワークを通して送信され、端末装置の再生手段により再生表示される動画コンテンツファイルであって、
前記端末装置は動画コンテンツの閲覧者が選択や指示をするめに必要な対話的な入力を受け付ける入力手段を備え、前記再生手段は、前記入力手段を通じた入力を直後の再生動作を規定する入力イベントとして受け付ける機能を備えたものであって、
この動画コンテンツファイルは、再生時に閲覧者が前記入力手段により選択指示する対象となる対話インターフェースオブジェクトを含むことができるものであって、
さらに、
１）最初と最初以外の区別がある複数の動画を含んで構成され、
２）最初以外の各動画について、該当する動画が最初として区別して作成された他の動画コンテンツファイルを要求するメッセージを端末装置からネットワーク上に発信させる対話インターフェースオブジェクトを含んでいる、
ことを特徴とする動画コンテンツファイル。
【請求項２】
サーバ装置から端末装置にネットワークを通して送信され、端末装置の再生手段により再生表示される動画コンテンツファイルであって、
前記端末装置は動画コンテンツの閲覧者が選択や指示をするめに必要な対話的な入力を受け付ける入力手段を備え、前記再生手段は、前記入力手段を通じた入力を直後の再生動作を規定する入力イベントとして受け付ける機能を備えたものであって、
この動画コンテンツファイルは、再生時に閲覧者が前記入力手段により選択指示する対象となる対話インターフェースオブジェクトを含むことができるものであって、
さらに、
１）最初と最初以外の区別がある複数の動画を含んで構成され、
２）最初以外の各動画について、該当する動画が最初として区別して作成された他の動画コンテンツファイルへのハイパーリンクが埋め込まれたファイルを要求するメッセージを端末装置からネットワーク上に発信させる対話インターフェースオブジェクトを含んでいる、
ことを特徴とする動画コンテンツファイル。
【請求項３】
請求項１または請求項２に記載の動画コンテンツファイルを、ネットワークを通じて、これを受信し再生する携帯端末に配信するコンテンツサーバー装置であって、最初に再生される動画の動画特定情報を含むファイル識別情報を持つ動画コンテンツファイルを記憶する記憶手段と、
ファイル識別情報を含むコンテンツ送信要求を受け付けて、該当する動画コンテンツファイルを返信するコンテンツ送信手段と、
を備えることを特徴とするサーバ装置。
【請求項４】
前記コンテンツ送信要求は、動画特定情報を含むリダイレクトページのＵＲＬであって、
リダイレクトページＵＲＬを受け付けて、リダイレクトページＵＲＬの動画特定情報を読み取って、前記読み取られた動画特定情報を含むファイル識別情報の動画コンテンツファイルのＵＲＬを設定したリダイレクトページを作成して送信するリダイレクトページ送信手段、
を備えることを特徴とする請求項３に記載のサーバ装置。
【請求項５】
前記動画コンテンツファイルは、Flash Liteファイルである、
ことを特徴とする請求項３または請求項４に記載のサーバ装置。
【請求項６】
請求項１または請求項２の動画コンテンツファイルを用いる携帯コンテンツ提供方法であって、
動画特定情報を含む動画から構成される動画コンテンツファイルを用いる携帯端末コンテンツ提供方法であって、
コンテンツファイル送信要求を受け付けて動画コンテンツファイルを送信するファイル送信ステップと、
前記送信された動画コンテンツファイルを受信して、対話インターフェースオブジェクトを用いて動画を選択して表示する選択表示ステップと、
ブックマーク登録指示の入力を受け付けて、表示された動画の動画特定情報を含むファイル識別情報を有するファイル送信要求を送信するコンテンツ送信要求ステップと、
前記送信されたファイル送信要求を受け付けて、ファイル送信要求に含まれるファイル識別情報の動画コンテンツファイルを選択して返信するコンテンツ返信ステップと、
前記返信された動画コンテンツファイルを受信して表示するコンテンツ表示ステップと、
前記表示されたコンテンツをブックマーク登録するブックマーク登録ステップと、
を含んだ手順でなされることを特徴とする携帯端末コンテンツ提供方法。
【請求項７】
前記コンテンツ送信要求は、動画特定情報を含むリダイレクトページＵＲＬであって、
前記コンテンツ返信ステップは、動画特定情報を含むリダイレクトページＵＲＬを受け付けて、前記動画特定情報を含むファイル識別情報の動画コンテンツファイルのＵＲＬを設定したリダイレクトページを返信して、前記リダイレクトページの動画コンテンツファイルＵＲＬを受信して、動画コンテンツファイルＵＲＬに含まれるファイル識別情報の動画コンテンツファイルを選択して返信する、
ことを特徴とする請求項６に携帯端末コンテンツ提供方法。
【請求項８】
前記動画コンテンツファイルは、Flash Liteファイルである、
ことを特徴とする請求項６または請求項７に記載の携帯端末コンテンツ提供方法。
【請求項９】
コンピュータに組込むことによって、コンピュータを請求項３から請求項５のいずれか一項に記載のサーバ装置として動作させるコンピュータプログラム。
【請求項１０】
の発明は、請求項９に記載のコンピュータプログラムを記録したコンピュータ読取り可能な記録媒体。
【発明の詳細な説明】
【技術分野】
【０００１】
本発明は、多数のページから構成されるコンテンツを携帯端末装置にて閲覧するに当たって、所望のページをブックマーク登録できるコンテンツ、および、そのコンテンツを提供するサーバ装置に関するものである。
【０００２】
近年の携帯端末装置の普及により、携帯端末装置の利用者は、インターネットのＷＥＢサイトから商品カタログのように多数のページを含むコンテンツを取得して、携帯端末装置の表示画面に再生して閲覧する機会が増えている。
このときに、携帯端末装置の表示画面が小さいので、コンテンツの表示寸法を画面サイズに合わせて自動調整して大きく表示するために、Flash Lite形式の動画コンテンツを使用することが多い。この形式の動画コンテンツは、携帯端末装置用のコンテンツであり、携帯端末装置で受信可能なファイル容量の動画コンテンツファイルに分割されている。
この動画コンテンツファイルは、音声や文字や画像から構成される動画（＝連続的に動く一区切りの場面）を組合せたファイルである。そこで、携帯端末装置は、表示させたい動画を含む動画コンテンツファイルを受信して、動画を再生表示する。
このとき、各動画の動作終了画面を、紙媒体である雑誌やカタログ等のページに見立てることが可能である。たとえば、あたかもページが捲くられるような動きの動画を用いて、紙媒体の雑誌やカタログ等を閲覧する動作を表示装置上に表現できる。
【背景技術】
【０００３】
たとえば、非特許文献１では、複数の動画に画面遷移する動画コンテンツを、携帯端末装置が受信可能なファイル容量に分割して、Flash Lite形式の動画コンテンツファイルを作成する技術が開示されている。
【非特許文献１】小松学史著、「基礎から学ぶ  モバイルFlashコンテンツ作成講座」、初版、株式会社技術評論社、平成１６年９月１５日、
【発明の開示】
【発明が解決しようとする課題】
【０００４】
ところで、携帯端末装置の利用者は、ＷＥＢサイトから動画コンテンツを取得して閲覧して、表示された動画（＝ページ）が気に入ると、ＷＥＢブラウザのブックマーク登録機能を用いて、この動画を「お気に入り登録」をしている。
ところが、非特許文献１の技術では、「お気に入り登録」したFlash Lite形式の動画コンテンツを再生すると、最初に再生されるように設定された動画が自動的に表示されてしまい、「お気に入り登録」した動画を最初に再生表示できないという不具合があった。
【０００５】
本発明はこのような不具合を解決するためになされたものであって、本発明の課題は、複数の動画に遷移する動画コンテンツを用いる携帯端末装置に対して所望の動画から再生できるブックマークを提供することである。
【課題を解決するための手段】
【０００６】
本発明は、以下のような解決手段により、前記課題を解決する。すなわち、請求項１の発明は、請求項１の発明は、サーバ装置から端末装置にネットワークを通して送信され、端末装置の再生手段により再生表示される動画コンテンツファイルであって、前記端末装置は動画コンテンツの閲覧者が選択や指示をするめに必要な対話的な入力を受け付ける入力手段を備え、前記再生手段は、前記入力手段を通じた入力を直後の再生動作を規定する入力イベントとして受け付ける機能を備えたものであって、この動画コンテンツファイルは、再生時に閲覧者が前記入力手段により選択指示する対象となる対話インターフェースオブジェクトを含むことができるものであって、さらに、１）最初と最初以外の区別がある複数の動画を含んで構成され、２）最初以外の各動画について、該当する動画が最初として区別して作成された他の動画コンテンツファイルを要求するメッセージを端末装置からネットワーク上に発信させる対話インターフェースオブジェクトを含んでいる、
ことを特徴とする動画コンテンツファイルである。
【０００７】
請求項２の発明は、サーバ装置から端末装置にネットワークを通して送信され、端末装置の再生手段により再生表示される動画コンテンツファイルであって、
前記端末装置は動画コンテンツの閲覧者が選択や指示をするめに必要な対話的な入力を受け付ける入力手段を備え、前記再生手段は、前記入力手段を通じた入力を直後の再生動作を規定する入力イベントとして受け付ける機能を備えたものであって、この動画コンテンツファイルは、再生時に閲覧者が前記入力手段により選択指示する対象となる対話インターフェースオブジェクトを含むことができるものであって、さらに、１）最初と最初以外の区別がある複数の動画を含んで構成され、２）最初以外の各動画について、該当する動画が最初として区別して作成された他の動画コンテンツファイルへのハイパーリンクが埋め込まれたファイルを要求するメッセージを端末装置からネットワーク上に発信させる対話インターフェースオブジェクトを含んでいる、ことを特徴とする動画コンテンツファイルである。
【０００８】
請求項３の発明は、請求項１または請求項２に記載の動画コンテンツファイルを、ネットワークを通じて、これを受信し再生する携帯端末に配信するコンテンツサーバー装置であって、最初に再生される動画の動画特定情報を含むファイル識別情報を持つ動画コンテンツファイルを記憶する記憶手段と、ネットワーク上の端末装置から送信されたファイル識別情報を含むコンテンツ送信要求を受け付けて、該当する動画コンテンツファイルを返信するコンテンツ送信手段と、
を備えることを特徴とするサーバ装置である。
【０００９】
送信されたコンテンツ送信要求に含まれるファイル識別情報の動画特定情報を用いて、この動画特定情報の動画が最初に再生されるサーバ装置を送信することが可能となる。
【００１０】
請求項４の発明は、前記コンテンツ送信要求は、動画特定情報を含むリダイレクトページのＵＲＬであって、ネットワーク上の端末装置から送信されたリダイレクトページＵＲＬを受け付けて、リダイレクトページＵＲＬの動画特定情報を読み取って、前記読み取られた動画特定情報を含むファイル識別情報の動画コンテンツファイルのＵＲＬを設定したリダイレクトページを作成して送信するリダイレクトページ送信手段、を備えることを特徴とする請求項３に記載のサーバ装置である。
【００１１】
ここで、ＵＲＬとは、「Uniform Resource Locator」の略で、インターネット上に存在するデータ（たとえば、ＷＥＢコンテンツ）やサービス（たとえば電子メールの宛先）を記述する方式である。
【００１２】
請求項５の発明は、前記動画コンテンツファイルは、Flash Liteファイルである、ことを特徴とする請求項３または請求項４に記載のサーバ装置である。
【００１３】
請求項６の発明は、請求項１または請求項２の動画コンテンツファイルを用いる携帯コンテンツ提供方法であって、動画特定情報を含むページから構成される動画コンテンツファイルを用いる携帯端末コンテンツ提供方法であって、コンテンツファイル送信要求を受け付けて動画コンテンツファイルを送信するファイル送信ステップと、前記送信された動画コンテンツファイルを受信して、動画を選択して表示する選択表示ステップと、ブックマーク登録指示の入力を受け付けて、表示された動画のコンテンツ識別情報と動画特定情報を含むコンテンツ送信要求を送信するコンテンツ送信要求ステップと、前記送信されたファイル送信要求を受け付けて、ファイル送信要求に含まれるファイル識別情報の動画コンテンツファイルを選択して返信するコンテンツ返信ステップと、前記返信された動画コンテンツファイルを受信して表示するコンテンツ表示ステップと、前記表示されたコンテンツをブックマーク登録するブックマーク登録ステップと、を含んだ手順でなされることを特徴とする携帯端末コンテンツ提供方法である。
【００１４】
請求項７の発明は、前記コンテンツ送信要求は、動画特定情報を含むリダイレクトページＵＲＬであって、前記コンテンツ返信ステップは、動画特定情報を含むコンテンツ識別情報を有するリダイレクトページＵＲＬを受け付けて、前記動画特定情報を含むファイル識別情報の動画コンテンツファイルのＵＲＬを設定したリダイレクトページを返信して、前記リダイレクトページの動画コンテンツファイルＵＲＬを受信して、動画コンテンツファイルＵＲＬに含まれるファイル識別情報の動画コンテンツファイルを選択して返信する、ことを特徴とする請求項６に携帯端末コンテンツ提供方法である。
【００１５】
請求項８の発明は、前記動画コンテンツファイルは、Flash Liteファイルである、ことを特徴とする請求項６または請求項７に記載の携帯端末コンテンツ提供方法である。
【００１６】
請求項９の発明はコンピュータに組込むことによって、コンピュータを請求項３から請求項５のいずれか一項に記載の携帯コンテンツＷＥＢサーバ装置として動作させるコンピュータプログラムである。
【００１７】
請求項１０の発明は、請求項９に記載のコンピュータプログラムを記録したコンピュータ読取り可能な記録媒体である。
【発明の効果】
【００１８】
本願発明によれば、複数の動画から構成される携帯用動画コンテンツを所望の動画から再生できるブックマークを提供することが可能である。
【発明を実施するための最良の形態】
【００１９】
以下、図面等を参照しながら、本発明の実施の形態について、更に詳しく説明する。図１は、本発明による携帯コンテンツ提供システム１の全体構成を説明する図である。携帯コンテンツ提供システム１は、携帯端末装置１００と、携帯コンテンツＷＥＢサーバ装置３００と、がネットワークで接続されて構成される。ネットワークは、携帯端末装置１００と無線接続するアンテナ９００を備えた携帯電話事業者のネットワークがゲートウェー８００を介してインターネット７００と接続されたネットワークである。
【００２０】
携帯コンテンツＷＥＢサーバ装置３００は、複数の動画から構成される動画コンテンツファイルを作成して記憶する。なお、以下本実施形態では動画コンテンツファイルとしてFlash Lite動画コンテンツファイルを採用することとして記載する。携帯コンテンツＷＥＢサーバ装置３００は、動画コンテンツファイルを携帯端末装置１００に送信する。
【００２１】
携帯コンテンツＷＥＢサーバ装置３００は、コンピュータプログラムによって制御されるサーバコンピュータである。携帯コンテンツＷＥＢサーバ装置３００のコンピュータプログラムには、既存のＷＥＢサーバプログラムと、ＷＥＢサーバプログラムから呼び出される他のプログラム（たとえば、後述するリダイレクトページ作成プログラムなど）が含まれる。
【００２２】
携帯端末装置１００は、送信された動画コンテンツファイルを受信して再生表示する。
【００２３】
携帯端末装置１００は、携帯電話である。
【００２４】
図２は、本発明による携帯コンテンツ提供システムの大まかな動作フローである。
【００２５】
携帯コンテンツＷＥＢサーバ装置３００は、動画コンテンツを用いて、所定の動画が最初に再生される動画コンテンツファイルを作成して、保存する（図２（１））。
【００２６】
携帯コンテンツＷＥＢサーバ装置３００は、前記保存された動画コンテンツファイルの中から、携帯端末装置１００が要求した動画コンテンツファイルを選択して、携帯端末装置１００に返信する（同（２））。携帯端末装置１００は、要求した動画コンテンツファイルを携帯コンテンツＷＥＢサーバ装置３００から受信して、動画コンテンツファイルの最初の動画を自動的に再生する。次に動画コンテンツファイルのの中の所望の動画が選択されると、これを再生表示する（同（３））。
【００２７】
携帯端末装置１００は、ブックマーク登録指示の入力を受け付けて、現在表示されている動画が最初に再生される動画コンテンツファイルの送信要求（＝ＵＲＬ）を携帯コンテンツＷＥＢサーバ装置３００に発行する（同（４））。
【００２８】
携帯コンテンツＷＥＢサーバ装置３００は、携帯端末装置１００から送信された動画コンテンツファイルの送信要求を受け付けて、前記保存された動画コンテンツファイルの中から該当する動画コンテンツファイルを選択して、返信する（同（５））。携帯端末装置１００は、所望の動画が最初に再生される動画コンテンツファイルを受信して最初の動画を再生表示する（同（６））。携帯端末装置１００は、ブックマーク登録の入力を受け付けて、表示された動画コンテンツファイルのＵＲＬをブックマーク登録する（同（７））。
【００２９】
図３は、携帯コンテンツＷＥＢサーバ装置３００の詳細な構成図である。携帯コンテンツＷＥＢサーバ装置３００は、コンテンツ送信手段３１０と、リダイレクトページ送信手段３２０と、動画データ設定手段３４０と、動画コンテンツファイル作成手段３５０と、記憶手段３９０と、を備える。
【００３０】
記憶手段３９０は、動画素材データ３９１と動画コンテンツファイル３９３を記憶する。動画コンテンツファイル３９３は、Flash Lite形式で記述された音声や画像や文字のデータである
【００３１】
動画データ設定手段３４０は、動画素材データ３９１を読み取って、動画特定情報（たとえば動画番号）を含むファイル識別情報を有するリダイレクトページのＵＲＬをハイパーリンクに設定した動画データを作成する。動画コンテンツファイル作成手段３５０は、前記作成された動画データを用いて、最初に再生される動画の動画特定情報を含むファイル識別情報を持つ動画コンテンツファイル３９１を作成して保存する。
【００３２】
コンテンツ送信手段３１０は、携帯端末装置１００からファイル識別情報を含むＵＲＬを受け付けて、該当する動画コンテンツファイルを返信する。リダイレクトページ送信手段３２０は、携帯端末装置１００から動画特定情報を含むリダイレクトページＵＲＬを受け付けて、前記リダイレクトページＵＲＬの動画特定情報に対応する動画が最初に再生される動画コンテンツファイルのＵＲＬを、リダイレクトページに設定して送信する。
【００３３】
コンテンツ送信手段３１０と、リダイレクトページ送信手段３２０と、動画データ設定手段３４０と、動画コンテンツファイル作成手段３５０とは、コンピュータプログラムである。記憶手段３９０は、半導体メモリや磁気メモリである。
【００３４】
なお、動画データ設定手段３４０と、動画コンテンツファイル作成手段３５０とは、携帯コンテンツＷＥＢサーバ装置３００が備えずに、動画コンテンツ作成装置（図示せず）が備えてもよい。このとき、携帯コンテンツＷＥＢサーバ装置３００は、動画コンテンツファイルを動画コンテンツ作成装置から受け取って、保存する。
【００３５】
図４と図５は、動画コンテンツファイル３９１の動画再生の特性を説明する図である。
【００３６】
図４は、Flash Lite形式の動画コンテンツファイル３９１の動画を再生する仕組みを説明する図である。
携帯端末装置１００がFlash Lite形式の動画コンテンツファイル３９１を受信すると、コンテンツプレーヤ１２０は、最初に再生するように設定されている動画３９２ａを再生する。そこで、ある動画から別の動画に画面遷移をするときに、異なるFlash Lite形式の動画コンテンツファイル３９１を読み込むか否かによって生じる動画再生の相違について説明する。
【００３７】
同一の動画コンテンツファイル３９１ｓにおいては、ある動画３９２ｘから別の動画３９２ｙに遷移して再生表示させることができる（図４（１））。
【００３８】
次に、ある動画コンテンツファイル３９１ｓから異なる動画コンテンツファイル３９１ｔに移動して動画を再生させる場合を説明する。ある動画コンテンツファイル３９１ｓの動画３９２ｘから、異なる動画コンテンツファイル３９１ｔの最初に再生する動画３９２ａを再生表示させる場合には、この動画３９２ａを再生表示させることができる（同（２））。しかしながら、ある動画コンテンツファイル３９１ｓの動画３９２ｘから、異なる動画コンテンツファイル３９１ｔの、最初に再生する動画以外の動画３９２ｂを最初に再生させようとしても、上記の理由により所望の動画３９２ｂを再生することができずに、最初に再生する動画３９２ａが自動的に再生表示されてしまう（同（３））。
【００３９】
図５は、動画コンテンツのブックマーク登録とブックマークの再生画面の例である。
図５の（ａ）に示すように、Flash Lite形式の動画コンテンツファイル３９１は、動画３９２「Ｄ」が再生表示画面１２０ｇに表示されているときに、ＷＥＢブラウザ１１０のブラウザメニュー１２４からブックマーク登録のボタン（＝お気に入り登録ボタン、詳細は後述する）を呼び出して、動画コンテンツファイル３９１の動画３９２「Ｄ」（以下、動画「Ｄ」という）をブックマーク登録することができる。
【００４０】
次に、図５の（ｂ）に示すように、このブックマーク登録された動画コンテンツファイル３９１をＷＥＢブラウザの「お気に入り再生」機能を用いて再生すると、動画コンテンツファイル３９１の最初に再生する動画３９２ａ「Ａ」が再生されて、表示画面１２０ｈに表示される。つまり、Flash Lite形式の動画コンテンツファイル３９１のブックマーク登録を「お気に入り再生」する場合には、登録時に表示されている動画が最初に再生表示される動画と異なっている場合は、登録した動画ではなくて、最初に再生する動画が再生表示される。
【００４１】
図６は、携帯端末装置１００の詳細な構成図である。携帯端末装置１００は、ＷＥＢブラウザ１１０と、コンテンプレイヤ１２０と、を備える。
【００４２】
ＷＥＢブラウザ１１０は、ファイル識別情報を含むＵＲＬを用いて携帯コンテンツＷＥＢサーバ装置３００に接続して、返信された動画コンテンツファイル３９１を受信して、コンテンプレイヤ１２０に動画コンテンツファイル３９１の最初の動画を再生させる。ＷＥＢブラウザ１１０は、ブラウザメニューの「お気に入り登録」の選択を受け付けて、動画コンテンツファイル３９１のファイル識別情報を含むＵＲＬを記録する。コンテンプレイヤ１２０は、動画コンテンツファイル３９１の動画選択入力を受け付けて、選択された動画を再生する。
【００４３】
ＷＥＢブラウザ１１０と、コンテンプレイヤ１２０と、は、コンピュータプログラムである。
【００４４】
図７から図１０は、携帯端末装置１００の表示画面の説明図である。
【００４５】
図７は、動画コンテンツファイル３９１の選択された動画を再生する画面１２０ａである。
動画再生画面１２０ａには、選択された動画（＝動画「Ｄ」）と、ＷＥＢブラウザ１１０が表示する「ブラウザメニュー」ボタン１２４と、が表示されている。表示されている「ブックマーク登録」ボタン１２２は、ＷＥＢブラウザ１１０のブラウザメニュー１２４ではなく再生中のコンテンツに備えられている対話インターフェースオブジェクトの一つであり、特に動画「Ｄ」と関係付けられている。「ブックマーク登録」ボタン１２２には、動画「Ｄ」の特定情報を含むリダイレクトページＵＲＬがハイパーリンクとして設定されている。
ただし、選択された動画が、最初に再生される動画である場合には、「ブックマーク登録」ボタン１２２は表示されない。
【００４６】
図８は、リダイレクトページの表示画面１２０ｂである。リダイレクトページ表示画面１２０ｂには、「次に表示される画面で端末の「お気に入り登録機能」を用いてブックマークしてください」と「ブラウザメニュー」ボタン１２４が表示されている。
【００４７】
図９は、動画「Ｄ」が最初に再生される動画コンテンツファイル３９１の最初の画面１２０ｃである。動画の再生画面１２０ｃには、コンテンツプレーヤ１２０が最初に再生する動画「Ｄ」と、ＷＥＢブラウザ１１０が表示する「ブラウザメニュー」ボタン１２４と、が表示されている。最初に再生される動画「Ｄ」には、「ブックマーク登録」ボタン１２２は含まれてない。
【００４８】
図１０は、ブラウザメニューの表示画面１２０ｄである。ブラウザメニュー表示画面１２０ｄには、「再読み込み」「お気に入り登録」「お気に入り一覧」「画面メモ保存」「画像保存」「メール作成」などのボタンが表示されている。なお、ブラウザメニュー表示画面１２０ｄでは、「お気に入り登録」ボタン１２５が選択されている状態を示している。
【００４９】
図１１は、携帯端末装置１００の処理手順の説明図である。携帯端末装置１００は、動画特定情報が「Ｄ」の動画を表示画面１２０ａに表示する。動画「Ｄ」には、「ブックマーク登録」ボタン１２２が含まれている（図１１（１））。携帯端末装置１００は、「ブックマーク登録」ボタン１２２が押されると、「ブックマーク登録」ボタン１２２に設定されたハイパーリンクにより、動画「Ｄ」の特定情報を含むリダイレクトページＵＲＬを用いて携帯コンテンツＷＥＢサーバ装置３００に接続する。（同（２））。
【００５０】
ＷＥＢサーバ装置３００では、リダイレクトページＵＲＬの動画特定情報を受け取って、動画「Ｄ」を最初に再生する動画コンテンツファイル３９１ｓのＵＲＬをリダイレクトさせるページを作成するリダイレクトページ作成プログラムを呼び出して、その結果を。返信する。携帯端末装置１００は、このリダイレクトページを受信して、表示画面１２０ｂに表示する（同（３））。携帯端末装置１００は、リダイレクトページに含まれるＵＲＬを用いてＷＥＢサーバ装置３００に接続する。（同（４））。
【００５１】
ＷＥＢサーバ装置３００がＵＲＬの指定する動画コンテンツファイル３９１ｓを返信するので、携帯端末装置１００は、これを受信する。（同（５））。携帯端末装置１００は、受信した動画コンテンツファイル３９１ｓの最初に再生される動画「Ｄ」を表示画面１２０ｃに表示する。この動画「Ｄ」のコンテンツ（＝最初に再生される動画）には、「ブックマーク登録」ボタン１２２は含まれてない（同（６））。
【００５２】
携帯端末装置１００は、「ブラウザメニュー」ボタン１２４が押されるとＷＥＢブラウザのメニューを表示して、「お気に入り登録」ボタン１２５が選択されると、動画「Ｄ」が最初に再生される動画コンテンツファイル３９１ｓのＵＲＬをＷＥＢブラウザ１１０に登録する。（同（７））。
【００５３】
なお、「ブックマーク登録」ボタン１２２には、動画「Ｄ」が最初に再生される動画コンテンツファイル３９１ｓのＵＲＬを直接にハイパーリンクとして設定してもよい。なお、このときには、リダイレクトページを表示させる必要は無い。
【００５４】
また、動画コンテンツファイルの最初に再生される動画が表示されている時には、「ブラウザメニュー」ボタン１２４が表示されているので、「ブックマーク登録」ボタン１２２は表示させなくても、表示させてもよい。
【００５５】
次に、実施例を説明する。
（実施例１）
カタログや情報誌の１ページを１つの動画として構成した動画コンテンツファイルを配信する例について説明する。
【００５６】
図１２は、動画コンテンツファイルを用いたカタログのページをブックマークする処理手順を説明する図である。動画コンテンツファイル３９１の動画は、カタログのページが捲くられる動作を行い、動作終了画面がカタログの１つのページを表示するように構成されている。動画コンテンツファイル３９１には、カタログの各ページが最初に再生される動画コンテンツファイルが用意されている。
【００５７】
４ページから構成されている動画コンテンツファイル３９１を例にして説明する。携帯端末装置１００は、第１ページを最初に再生する動画コンテンツファイル３９１ｆを用いて、カタログの第４ページと「ブックマーク登録」ボタン１２２とをコンテンツプレーヤ１２０で再生して表示画面１２０ａに表示して、同時にＷＥＢブラウザ１１０は「ブラウザメニュー」ボタン１２４を表示画面１２０ｃに表示する（図１２（１））。表示画面１２０ａの「ブックマーク登録」ボタン１２２が押されると、携帯端末装置１００は、「ブックマーク登録」ボタン１２２に設定されたＵＲＬ（＝第４ページが最初に再生される動画コンテンツファイル３９１ｓのＵＲＬ）を用いて、ＷＥＢサーバ装置３００に接続する（同（２））。
【００５８】
ＷＥＢサーバ装置３００は、前記ＵＲＬが指定する第４ページが最初に再生される動画コンテンツファイル３９１ｓを返信する（同（３））。
【００５９】
携帯端末装置１００は、第４ページが最初に再生する動画コンテンツファイル３９１ｓを受信して、記憶手段１９０に記憶される動画コンテンツファイル３９１を更新する。次に、コンテンツプレーヤ１２０は第４ページを再生して表示画面１２０ｃに表示して、同時にＷＥＢブラウザ１１０は「ブラウザメニュー」ボタン１２４を表示画面１２０ｃに表示する。（同（４））。
【００６０】
（実施例２）
動画コンテンツファイル３９１のＵＲＬを電子メールで送信する例について説明する。
図１３は、コンテンツのＵＲＬを電子メール送信する手順を説明する図である。図１３には、（ａ）「お友達に紹介」ボタン１２６を含む動画再生画面１２０ｅ［Ｄ］と、（ｂ）メール作成画面１２０ｆとが例示されている。
【００６１】
図１３（ａ）には、動画再生画面１２０ｅが例示されている。動画再生画面１２０ｅには、「お友達に紹介」ボタン１２６を含む動画「Ｄ」と、ＷＥＢブラウザ１１０が表示する「ブラウザメニュー」ボタン１２４と、が表示されている。「お友達に紹介」ボタン１２６には、表示されている動画が最初に再生される動画コンテンツファイル３９１ｓのＵＲＬを記載した通信文（本文）を含むメール作成画面を起動する機能が設定されている。たとえば、埋め込まれているＵＲＬと通信文は、「subject＝“お勧めコンテンツ”body＝“本文：オススメURL  http://www.・・”getURL（mailto:メールアドレス）」である。ここで、「オススメURL  http://www.・・」には、動画［Ｄ］が最初に再生される動画コンテンツファイル３９１ｓのＵＲＬが記述される。動画再生画面１２０ｅの「お友達に紹介」ボタン１２６が押されるとメール作成画面１２０ｆが表示される。
【００６２】
図１３（ｂ）には、メール作成画面１２０ｆが例示されている。
メール作成画面１２０ｆにおいて、「ＴＯ：」欄は、メールアドレスの入力を受け付ける。本文：オススメURL  http://www.・・」欄には、必要に応じて通信文が追加入力される。「送信」ボタン１２８が押されると、電子メールが送信される。
【００６３】
以上詳しく説明したように、本願発明によれば、FlashLite形式の携帯用動画コンテンツを用いる携帯端末装置に対して、所望の動画から再生できるブックマークを提供することが可能となった。
【図面の簡単な説明】
【００６４】
【図１】本発明による携帯コンテンツ提供システムの全体構成を説明する図
【図２】本発明による携帯コンテンツ提供システムの大まかな動作フロー
【図３】携帯コンテンツＷＥＢサーバ装置３００の詳細な構成図
【図４】動画コンテンツファイル３９１の動画の遷移を説明する図
【図５】ブックマーク登録した動画コンテンツのお気に入り再生画面の例
【図６】携帯端末装置１００の詳細な構成図
【図７】動画コンテンツファイル３９１の選択された動画を再生する画面１２０ａ。
【図８】リダイレクトページの表示画面１２０ｂ
【図９】動画「Ｄ」が最初に再生される動画コンテンツファイル３９１の最初の画面１２０ｃ
【図１０】ブラウザメニューの表示画面１２０ｄ
【図１１】携帯端末装置１００の処理手順の説明図
【図１２】カタログのページをブックマークする処理手順の説明図
【図１３】コンテンツのＵＲＬを電子メール送信する手順を説明する図
【符号の説明】
【００６５】
１  携帯コンテンツ提供システム
１００  携帯端末装置
１１０  ＷＥＢブラウザ
１２０  コンテンプレイヤ
３００  携帯コンテンツＷＥＢサーバ装置
３１０  コンテンツ送信手段
３２０  リダイレクトページ送信手段
３４０  動画データ設定手段
３５０  動画コンテンツファイル作成手段
３９０  記憶手段
３９１  動画素材データ
３９３  動画コンテンツファイル
７００  ネットワーク
【図１】
2008219076.tif 000003
【図２】
2008219076.tif 000004
【図３】
2008219076.tif 000005
【図４】
2008219076.tif 000006
【図５】
2008219076.tif 000007
【図６】
2008219076.tif 000008
【図７】
2008219076.tif 000009
【図８】
2008219076.tif 000010
【図９】
2008219076.tif 000011
【図１０】
2008219076.tif 000012
【図１１】
2008219076.tif 000013
【図１２】
2008219076.tif 000014
【図１３】
2008219076.tif 000015